(57)【特許請求の範囲】
【請求項１】
対象の視覚的表現を生成するためのシステムであって、
前記対象を少なくとも部分的に囲むための構造と、
互いに固定された関係で取り付けられた複数の静止カメラと、
前記複数の静止カメラを始動させるための複数の始動モジュールであって、各始動モジュールは、単一の静止カメラに関連付けられ、各静止カメラは、単一の始動モジュールに関連付けられている、複数の始動モジュールと、
少なくとも１つのコンピュータプロセッサであって、前記少なくとも１つのコンピュータプロセッサは、
ｉ）前記複数の静止カメラを始動させるように前記複数の始動モジュールを制御し、これにより、前記対象の複数の静止画像を取り込むことと、
ｉｉ）少なくとも部分的に、前記複数の静止画像のうちの少なくともいくつかを順番に配列することにより、前記対象の前記視覚的表現を作成することと、
ｉｉｉ）前記対象の前記視覚的表現を含むデジタルファイルを、ユーザデバイスによってアクセス可能であるストレージ媒体に送信することと
を行う、少なくとも１つのコンピュータプロセッサと
を備え、
前記対象の前記視覚的表現は、１つを上回る様式で前記視覚的表現を提示することを可能にするように、ユーザによって操作可能であり、前記複数の始動モジュールは、デイジーチェーンで接続されている、または、連続的なハードウェアアドレスの自己割り当てを行うように構成されており、
前記各始動モジュールは、遅延タイマを備え、前記遅延タイマは、遅延時間が経過した後に前記関連付けられた静止カメラを始動させるように前記各始動モジュールに前記遅延時間を提供するように構成されている、システム。
【請求項２】
前記カメラは、共通の領域に照準を合わせることができる、請求項１に記載のシステム。
【請求項３】
前記対象の前記視覚的表現は、タッチ入力を介してユーザによって操作可能である、請求項１に記載のシステム。
【請求項４】
前記コンピュータプロセッサは、前記カメラを実質的に同時に始動させるように構成されている、請求項１に記載のシステム。
【請求項５】
前記コンピュータプロセッサは、各カメラの始動の間に始動遅延を導入するように構成されている、請求項１に記載のシステム。
【請求項６】
前記カメラは、連続的な順序を含み、さらに前記コンピュータプロセッサは、前記カメラによって取り込まれた前記画像を前記連続的な順序で配列するように構成されている、請求項１に記載のシステム。
【請求項７】
前記対象は、個人を含む、請求項１に記載のシステム。
【請求項８】
前記対象の前記視覚的表現は、前記個人の私的アバターを含む、請求項７に記載のシステム。
【請求項９】
前記個人の前記視覚的表現内の少なくとも１つの特徴は、カラーパレットを介してユーザによって操作可能である、請求項７に記載のシステム。
【請求項１０】
前記個人の前記視覚的表現内の少なくとも１つの衣料品またはファッションアクセサリは、変更可能である、請求項７に記載のシステム。
【請求項１１】
前記ユーザデバイスは、パーソナルデジタルアシスタント、タブレットコンピュータ、およびスマートフォンから成る群から選択されるモバイルコンピューティングデバイスを含む、請求項１に記載のシステム。
【請求項１２】
前記対象は、衣料品、ファッションアクセサリ、化粧品、および芸術品から成る群から選択される、請求項１に記載のシステム。
【請求項１３】
前記構造は、入口経路を形成する、請求項１に記載のシステム。
【請求項１４】
対象の視覚的表現を生成するためのシステムであって、
前記対象を少なくとも部分的に囲むための構造と、
互いに固定された関係で取り付けられた複数の静止カメラと、
少なくとも１つのコンピュータプロセッサであって、前記少なくとも１つのコンピュータプロセッサは、
ｉ）前記複数の静止カメラを始動させて前記対象の複数の静止画像を取り込むことと、
ｉｉ）少なくとも部分的に、前記複数の静止画像のうちの少なくともいくつかを順番に配列することにより、前記対象の前記視覚的表現を作成することと、
ｉｉｉ）前記対象の前記視覚的表現を含むデジタルファイルを、ユーザデバイスによってアクセス可能であるストレージ媒体に送信することと
を行う、少なくとも１つのコンピュータプロセッサと
を備え、
前記対象の前記視覚的表現は、１つを上回る様式で前記視覚的表現を提示することを可能にするように、ユーザによって操作可能であり、前記構造は、入り口経路を形成し、前記構造は、螺旋状の壁を含む、システム。
【請求項１５】
前記カメラは、前記螺旋状の壁の一部に沿って配列されている、請求項１４に記載のシステム。
【請求項１６】
前記構造は、ドームを含む、請求項１に記載のシステム。
【請求項１７】
前記カメラは、前記構造に近接して結合され、かつ円弧状のパターンで配列されている、請求項１に記載のシステム。
【請求項１８】
前記対象を支持するための調整可能な支持体をさらに備える、請求項１に記載のシステム。
【請求項１９】
前記調整可能な支持体は、調整可能な座席、調整可能なテーブル、および調整可能なプラットフォームから成る群から選択される、請求項１８に記載のシステム。
【請求項２０】
対象の視覚的表現を生成するための方法であって、前記方法は、
複数の静止カメラの照準を前記対象に合わせるステップと、
前記複数の静止カメラを始動させるように複数の始動モジュールを制御し、これにより、前記対象の複数の静止画像を取り込むステップであって、各始動モジュールは、単一の静止カメラに関連付けられ、各静止カメラは、単一の始動モジュールに関連付けられている、ステップと、
少なくとも部分的に、前記複数の静止画像のうちの少なくともいくつかを順番に配列することにより、前記対象の前記視覚的表現を作成するステップと、
前記対象の前記視覚的表現を含むデジタルファイルを、ユーザデバイスによってアクセス可能であるストレージ媒体に送信するステップと
を含み、
前記対象の前記視覚的表現は、１つを上回る様式で前記視覚的表現を提示することを可能にするように、ユーザによって操作可能であり、前記複数の始動モジュールは、デイジーチェーンで接続されている、または、連続的なハードウェアアドレスの自己割り当てを行うように構成されており、
前記各始動モジュールは、遅延タイマを備え、前記遅延タイマは、遅延時間が経過した後に前記関連付けられた静止カメラを始動させるように前記各始動モジュールに前記遅延時間を提供するように構成されており、
前記複数の静止カメラを始動させるように前記複数の始動モジュールを制御することは、前記各始動モジュールの前記遅延タイマにおいて前記各始動モジュールのための遅延時間を設定することを含む、方法。
【請求項２１】
前記対象の前記視覚的表現は、タッチ入力を介してユーザによって操作可能である、請求項２０に記載の方法。
【請求項２２】
前記カメラは、実質的に同時に始動される、請求項２０に記載の方法。
【請求項２３】
各カメラの始動の間に始動遅延を導入することをさらに含む、請求項２０に記載の方法。
【請求項２４】
前記カメラは、連続的な順序を含み、さらに前記カメラによって取り込まれた前記画像は、前記連続的な順序で配列される、請求項２０に記載の方法。
【請求項２５】
前記対象は、個人を含む、請求項２０に記載の方法。
【請求項２６】
前記対象の前記視覚的表現は、前記個人の私的アバターを含む、請求項２５に記載の方法。
【請求項２７】
前記個人の前記視覚的表現内の少なくとも１つの特徴は、カラーパレットを介してユーザによって操作可能である、請求項２５に記載の方法。
【請求項２８】
前記個人の前記視覚的表現内の少なくとも１つの衣料品またはファッションアクセサリは、変更可能である、請求項２５に記載の方法。
【請求項２９】
前記ユーザデバイスは、パーソナルデジタルアシスタント、タブレットコンピュータ、およびスマートフォンから成る群から選択されるモバイルコンピューティングデバイスを含む、請求項２０に記載の方法。
【請求項３０】
前記対象は、衣料品、ファッションアクセサリ、化粧品、および芸術作品から成る群から選択される、請求項２０に記載の方法。
【請求項３１】
前記複数の始動モジュールは、デイジーチェーンで接続され、かつ、連続的なハードウェアアドレスの自己割り当てを行うように構成されている、請求項１に記載のシステム。
【請求項３２】
前記複数の始動モジュールは、デイジーチェーンで接続され、かつ、連続的なハードウェアアドレスの自己割り当てを行うように構成されている、請求項２０に記載の方法。
【発明の詳細な説明】
【技術分野】
【０００１】
（関連出願への相互参照）
本出願は、２０１３年５月２０日に出願された米国仮特許出願第６１／８２５，３０６号に対して優先権、およびそれの利益を主張する。上記文献は、その全体として参照することによって本明細書において援用される。
【０００２】
（技術分野）
種々の実施形態において、本発明は、対象の視覚的表現を生成するためのシステムおよび方法に関する。
【背景技術】
【０００３】
（背景）
写真撮影、つまり、光または他の電磁放射線を記録することによって耐久性のある画像を作成する技術は、ほぼ２世紀にわたって実施されてきた。写真撮影の初期の実施では、多くの場合、写真フィルム等の感光材料を用い、化学的プロセスを介して画像を取り込んだ。例えば、レンズを使用し、時間が決められた露出で対象から反射または放射された光の焦点をカメラ内部の感光表面の実像に合わせた。そのような実施は、依然として用いられ得るが、より最近の進歩は、画像を画像センサの使用を介して電気的に取り込むことを可能にした。電子画像センサで得られる結果は、各画素の電荷であり、それは、電子的に処理され、後続の表示または処理のためにデジタル画像ファイルに格納される。
【０００４】
デジタル写真撮影と化学的写真撮影との間の１つの差は、化学的写真撮影は、フィルムと印画紙を必要とするため、概して、写真加工が難しいが、デジタル撮像は、高度の操作性のある媒体であるということである。この差により、フィルムベースの写真撮影では比較的困難である画像の後処理が、デジタル写真撮影ではある程度可能になる。しかしながら、安価なデジタル画像センサの出現およびさらに複数の感知された画像からの情報を組み合わせて写真を作成する機能により、写真撮影についての世間一般の考え方が変わり始めた一方で、対象の視覚的表現を生成するための改善されたシステムおよび方法に対する必要性が、依然として存在する。
【発明の概要】
【課題を解決するための手段】
【０００５】
（発明の要約）
種々の実施形態では、本明細書に記載のシステムおよび方法は、複数の静止カメラを用い、複数の視点またはビューからの対象またはシーンのデジタル画像を取り込む。例えば、一実施形態では、装置は、互いに固定された関係で取り付けられた複数の静止カメラを特徴とする。動作時、静止カメラは、同時に始動され（または、代わりに、連続的に各カメラの始動の間のユーザによる構成可能な時間遅延に続いて）、対象またはシーンの複数の静止デジタル画像を取り込む。取り込まれた画像は、次に、種々の方式で操作することができる。例えば、カメラを同時に始動させ、１つのカメラ画像から次のものにホッピングすることにより、「凍結した」動的シーンを介して仮想的なカメラの動きの錯覚、または（カメラが静的対象を少なくとも部分的に囲むように配列されている場合）静的対象が回転している錯覚を実現し得る。別の実施例では、各カメラの始動の間の時間遅延は、単一のカメラが静的対象の周りを移動するまたは動的シーン内にある錯覚を、人が作成することを可能にする。
【０００６】
以下でさらに説明されるように、そのような技術は、複数の実用的な用途で用いられてもよい。１つの非限定的実施例として、この技術は、モールに見られる典型的なフォトブースを改革するために用いられてもよい。具体的には、本明細書に記載の技術を用いることにより、モールのフォトブースは、単一の静止した視点から個人を撮像することに限定される必要はもうなくなる。むしろ、この技術は、個人が、彼自身または彼女自身を複数の視点またはビューから撮像することと、それによって単一のカメラが彼自身または彼女自身の周りを移動する錯覚を作成することを可能にする。フォトブースは、例えば、個人の移動可能で、現実的かつ３次元の私的アバターを格納するデジタルファイルを作成するように構成されてもよい。そのデジタルファイルは、次に、フォトセッションに続いて、（例えば、無線でまたはハードワイヤ接続を介して）直ちに個人によってモバイルコンピューティングデバイス（例えば、スマートフォン）へそこでの操作のためにダウンロードされてもよい。ダウンロードされたデジタルファイルは、例えば、個人がタッチ入力を介して彼または彼女のフィギュア（例えば、私的アバター）の取り込んだばかりの３次元画像をパンし、かつそれを複数の角度から見ることを可能にし得る。パン操作は、ユーザが所望する任意の方法で、開始、停止、逆行等がされてもよく、また種々のビューは、ユーザが所望する任意の方法で、拡大、サイズ変更等されてもよい。私的アバターの追加の操作、例えば、種々の特徴の色または外観を変更することもまた、可能であり得る。そのような方式では、モールに見られる典型的なフォトブースからの出力は、大幅に向上される。このような技術をどのように用いることができるかについての複数のさらなる実施例が、以下に記載される。
【０００７】
概して、一側面では、本発明の実施形態は、対象の視覚的表現を生成するためのシステムを特徴とする。システムは、対象を少なくとも部分的に囲むための構造、互いに固定された関係で取り付けられた複数の静止カメラ、および少なくとも１つのコンピュータプロセッサを含む。コンピュータプロセッサは、複数の静止カメラを始動させて対象の複数の静止画像を取り込み、少なくとも部分的に複数の静止画像のうちの少なくともいくつかを順番に配列することによって対象の視覚的表現を作成し、かつ対象の視覚的表現を含むデジタルファイルをユーザデバイスによってアクセス可能なストレージ媒体に送信するために、用いられる。具体的には、対象の視覚的表現は、１つを上回る様式で視覚的表現を提示することを可能にするように、（例えば、タッチ入力を介して）ユーザによって操作可能である。
【０００８】
種々の実施形態では、カメラは、共通の領域に照準を合わすことができる。コンピュータプロセッサは、カメラを実質的に同時に始動させ、または代わりに、各カメラの始動の間に始動遅延を導入するように構成されてもよい。特定の一実施形態では、カメラは、連続的な順序を特徴とし、コンピュータプロセッサは、カメラによって取り込まれた画像を連続的な順序で配列するように構成される。
【０００９】
画像内に取り込まれた対象は、例えば、衣料品、ファッションアクセサリ、化粧品、または芸術品であり得る。あるいは、別の実施形態では、画像内に取り込まれた対象は、個人である。そのような実施形態では、対象の視覚的表現は、個人の私的アバターであってもよい。さらに、個人の視覚的表現内の少なくとも１つの特徴（例えば、個人の口紅の色）は、カラーパレットを介してユーザによって操作可能である。個人の視覚的表現内の少なくとも１つの衣料品またはファッションアクセサリもまた、ユーザデバイスでユーザによって変更可能であり得る。ユーザデバイスは、例えば、パーソナルデジタルアシスタント、タブレットコンピュータ、またはスマートフォン等のモバイルコンピューティングデバイスであり得る。
【００１０】
一実施形態では、対象を少なくとも部分的に囲むための構造は、入口経路を特徴としてもよく、また螺旋状の壁を含んでもよい。カメラは、螺旋状の壁の一部に沿って配列されてもよい。あるいは、対象を少なくとも部分的に囲むための構造は、ドームであり得る。カメラは、構造に近接して結合されてもよく、円弧状のパターンで配列されてもよい。本システムはまた、対象を支持するための調整可能な支持体を含んでもよい。調整可能な支持体は、例えば、調整可能な座席、調整可能なテーブル、または調整可能なプラットフォームであり得る。
【００１１】
概して、別の側面では、本発明の実施形態は、対象の視覚的表現を生成するための方法を特徴とする。本方法によると、複数の静止カメラが、対象に焦点が合わせられ、複数の静止カメラは、始動されて対象の複数の静止画像を取り込み、対象の視覚的表現は、少なくとも部分的に、複数の静止画像のうちの少なくともいくつかを順番に配列することによって作成され、対象の視覚的表現を含むデジタルファイルは、ユーザデバイスによってアクセス可能であるストレージ媒体に送信される。上述のシステムの場合のように、対象の視覚的表現は、１つを上回る様式で視覚的表現を提示することを可能にするように、（例えば、タッチ入力を介して）ユーザによって操作可能である。
【００１２】
本発明のこの側面の種々の実施形態では、カメラは、実質的に同時に始動される。他の実施形態では、始動遅延が、各カメラの始動の間に導入される。さらに、カメラは、連続的な順序を有してもよく、カメラによって取り込まれた画像は、連続的な順序で配列されてもよい。
【００１３】
対象の視覚的表現を生成するための方法の種々の実施形態では、画像内に取り込まれた対象は、例えば、衣料品、ファッションアクセサリ、化粧品、または芸術品である。あるいは、別の実施形態では、画像内に取り込まれた対象は、個人である。そのような実施形態では、対象の視覚的表現は、個人の私的アバターであり得る。さらに、個人の視覚的表現内の少なくとも１つの特徴は（例えば、個人の口紅の色）、カラーパレットを介してユーザによって操作可能であり得る。個人の視覚的表現内の少なくとも１つの衣料品またはファッションアクセサリはまた、ユーザデバイスでユーザによって変更可能であり得る。ユーザデバイスは、例えば、パーソナルデジタルアシスタント、タブレットコンピュータ、またはスマートフォンのようなモバイルコンピューティングデバイスであり得る。
【００１４】
概して、さらに別の側面では、本発明の実施形態は、複数の静止カメラを使用して対象の複数の静止写真画像を取り込むためのシステムを特徴とする。システムは、複数の静止カメラを始動させるための複数の始動モジュールを含む。各始動モジュールは、単一の静止カメラに関連付けられるように適合され、各静止カメラは、単一の始動モジュールに関連付けられるように適合される。複数の始動モジュールは、例えば、電力がそこに適用されるとき、連続的なハードウェアアドレスの自己割り当てを行うように構成される。システムはまた、複数の静止カメラを含んでもよい。
【００１５】
種々の実施形態では、システムは、追加の始動モジュールをさらに含み、それは、カメラに関連付けられず、始動入力として機能する。複数の始動モジュールは、デイジーチェーンで接続されてもよく、複数の静止カメラを実質的に同時に始動させるように、または複数の静止カメラを連続的に始動させるように、構成されてもよい。
【００１６】
一実施形態では、各始動モジュールは、マイクロプロセッサ、コンピュータメモリ、安定したクロック信号を提供するための水晶発振器（例えば、温度制御型水晶発振器またはオーブン制御型水晶発振器）、および／または遅延タイマを含む。各始動モジュールはまた、シリアルコマンドデータ信号を通信するための１つ以上のシリアル通信ラインおよび／またはカメラを始動するハードウェア信号を通信するための１つ以上の通信ラインを含んでもよい。各始動モジュールは、関連付けられたカメラの状態を監視するように構成されてもよく、複数の始動モジュールは、始動モジュール間の全ての信号相互接続の状態を検証するように構成されてもよい。
【００１７】
一実施形態では、本システムは、複数の始動モジュールを制御するためのカメラシステム制御装置をさらに含む。カメラシステム制御装置は、信号が、複数の始動モジュールを介して伝播する方向を示すコマンド、少なくとも１つの始動モジュールのモードを設定するためのコマンド、少なくとも１つの始動モジュールの遅延タイマを設定するためのコマンド、少なくとも１つのカメラをウェークさせるためのコマンド、および／またはカメラを起動することを少なくとも１つの始動モジュールに命令するコマンドを、発行するように構成されてもよい。
【００１８】
本システムはまた、写真撮影の小道具（ストロボ光源、ソレノイド、および／または弁等）と写真撮影の小道具とインターフェースをとる追加の始動モジュールを含んでもよい。さらに、システムは、カメラから画像を移入し、設定をカメラに提供し、かつ／または対象の視覚的表現を作成するために複数の静止画像のうちの少なくともいくつかを配列するための１つ以上のコンピュータプロセッサを含んでもよい。本システムはまた、対象の視覚的表現を含むデジタルファイルを格納するためのストレージ媒体を含むことができる。
【００１９】
概して、さらに別の側面では、本発明の実施形態は、複数の静止カメラを使用して対象の複数の静止写真画像を取り込むための方法を特徴とする。本方法によると、複数の始動モジュールは、各始動モジュールが単一の静止カメラに関連付けられ、かつ各静止カメラが単一の始動モジュールに関連付けられるように、複数の静止カメラに関連付けられる。複数の始動モジュールは、複数の始動モジュールが連続的なハードウェアアドレスの自己割り当てを行うと直ぐに、電源供給される。複数の始動モジュールは、その後、複数の静止カメラのうちの少なくともいくつかを始動するために使用され、対象の複数の静止画像は、始動された静止カメラを介して取り込まれる。
【００２０】
本発明のこの側面の種々の実施形態では、複数の始動モジュールは、デイジーチェーンで接続される。複数の始動モジュールは、複数の静止カメラを実質的に同時に始動させるために、または複数の静止カメラを連続的に始動させるために、使用されてもよい。シリアルコマンドデータ信号は、複数の始動モジュールを介して通信されてもよい。さらに、カメラを始動させるためのハードウェア信号は、複数の始動モジュールを介して通信されてもよい。複数の始動モジュール間の全ての信号の相互接続の状態は、検証されてもよく、少なくとも１つの始動モジュールは、関連付けられたカメラの状態についてポーリングされてもよい。
【００２１】
随意に、以下のコマンド：信号が複数の始動モジュールを介して伝播する方向を示すコマンド、少なくとも１つの始動モジュールのモードを設定するためのコマンド、少なくとも１つの始動モジュールの遅延タイマを設定するためのコマンド、少なくとも１つの始動モジュールに関連付けられたカメラをウェークさせるためのコマンド、および／または関連付けられたカメラを起動することを少なくとも１つの始動モジュールに命令するコマンドのうちの１つ以上を始動モジュールのうちの少なくとも１つで受け取ってもよい。追加の始動モジュールは、ストロボ光源、ソレノイド、および／または弁のような写真撮影の小道具を作動させるために使用されてもよい。
【００２２】
これらと他の目的は、本明細書に開示される本発明の実施形態の利点と特徴と共に、以下の記述、添付の図面、および特許請求の範囲を参照することによってより明らかになるであろう。さらに、本明細書に記載の種々の実施形態の特徴は、相互に排他的ではなく、種々の組合せと並べ替えが可能であることを理解されたい。等価な構造と方法もまた、用いることができる。
本発明は、例えば、以下を提供する。
（項目１）
対象の視覚的表現を生成するためのシステムであって、
前記対象を少なくとも部分的に囲むための構造と、
互いに固定された関係で取り付けられた複数の静止カメラと、
少なくとも１つのコンピュータプロセッサであって、前記少なくとも１つのコンピュータプロセッサは、
ｉ）前記複数の静止カメラを始動させて前記対象の複数の静止画像を取り込むことと、
ｉｉ）少なくとも部分的に、前記複数の静止画像のうちの少なくともいくつかを順番に配列することにより、前記対象の前記視覚的表現を作成することと、
ｉｉｉ）前記対象の前記視覚的表現を含むデジタルファイルを、ユーザデバイスによってアクセス可能であるストレージ媒体に送信することと
を行う、少なくとも１つのコンピュータプロセッサと
を備え、
前記対象の前記視覚的表現は、１つを上回る様式で前記視覚的表現を提示することを可能にするように、ユーザによって操作可能である、システム。
（項目２）
前記カメラは、共通の領域に照準を合わせることができる、項目１に記載のシステム。
（項目３）
前記対象の前記視覚的表現は、タッチ入力を介してユーザによって操作可能である、項目１に記載のシステム。
（項目４）
前記コンピュータプロセッサは、前記カメラを実質的に同時に始動させるように構成されている、項目１に記載のシステム。
（項目５）
前記コンピュータプロセッサは、各カメラの始動の間に始動遅延を導入するように構成されている、項目１に記載のシステム。
（項目６）
前記カメラは、連続的な順序を含み、さらに前記コンピュータプロセッサは、前記カメラによって取り込まれた前記画像を前記連続的な順序で配列するように構成されている、項目１に記載のシステム。
（項目７）
前記対象は、個人を含む、項目１に記載のシステム。
（項目８）
前記対象の前記視覚的表現は、前記個人の私的アバターを含む、項目７に記載のシステム。
（項目９）
前記個人の前記視覚的表現内の少なくとも１つの特徴は、カラーパレットを介してユーザによって操作可能である、項目７に記載のシステム。
（項目１０）
前記個人の前記視覚的表現内の少なくとも１つの衣料品またはファッションアクセサリは、変更可能である、項目７に記載のシステム。
（項目１１）
前記ユーザデバイスは、パーソナルデジタルアシスタント、タブレットコンピュータ、およびスマートフォンから成る群から選択されるモバイルコンピューティングデバイスを含む、項目１に記載のシステム。
（項目１２）
前記対象は、衣料品、ファッションアクセサリ、化粧品、および芸術品から成る群から選択される、項目１に記載のシステム。
（項目１３）
前記構造は、入口経路を形成する、項目１に記載のシステム。
（項目１４）
前記構造は、螺旋状の壁を含む、項目１３に記載のシステム。
（項目１５）
前記カメラは、前記螺旋状の壁の一部に沿って配列されている、項目１４に記載のシステム。
（項目１６）
前記構造は、ドームを含む、項目１に記載のシステム。
（項目１７）
前記カメラは、前記構造に近接して結合され、かつ円弧状のパターンで配列されている、項目１に記載のシステム。
（項目１８）
前記対象を支持するための調整可能な支持体をさらに備える、項目１に記載のシステム。
（項目１９）
前記調整可能な支持体は、調整可能な座席、調整可能なテーブル、および調整可能なプラットフォームから成る群から選択される、項目１８に記載のシステム。
（項目２０）
対象の視覚的表現を生成するための方法であって、前記方法は、
複数の静止カメラの焦点を前記対象に合わせるステップと、
前記複数の静止カメラを始動させて前記対象の複数の静止画像を取り込むステップと、
少なくとも部分的に、前記複数の静止画像のうちの少なくともいくつかを順番に配列することにより、前記対象の前記視覚的表現を作成するステップと、
前記対象の前記視覚的表現を含むデジタルファイルを、ユーザデバイスによってアクセス可能であるストレージ媒体に送信するステップと
を含み、
前記対象の前記視覚的表現は、１つを上回る様式で前記視覚的表現を提示することを可能にするように、ユーザによって操作可能である、方法。
（項目２１）
前記対象の前記視覚的表現は、タッチ入力を介してユーザによって操作可能である、項目２０に記載の方法。
（項目２２）
前記カメラは、実質的に同時に始動される、項目２０に記載の方法。
（項目２３）
各カメラの始動の間に始動遅延を導入することをさらに含む、項目２０に記載の方法。
（項目２４）
前記カメラは、連続的な順序を含み、さらに前記カメラによって取り込まれた前記画像は、前記連続的な順序で配列される、項目２０に記載の方法。
（項目２５）
前記対象は、個人を含む、項目２０に記載の方法。
（項目２６）
前記対象の前記視覚的表現は、前記個人の私的アバターを含む、項目２５に記載の方法。
（項目２７）
前記個人の前記視覚的表現内の少なくとも１つの特徴は、カラーパレットを介してユーザによって操作可能である、項目２５に記載の方法。
（項目２８）
前記個人の前記視覚的表現内の少なくとも１つの衣料品またはファッションアクセサリは、変更可能である、項目２５に記載の方法。
（項目２９）
前記ユーザデバイスは、パーソナルデジタルアシスタント、タブレットコンピュータ、およびスマートフォンから成る群から選択されるモバイルコンピューティングデバイスを含む、項目２０に記載の方法。
（項目３０）
前記対象は、衣料品、ファッションアクセサリ、化粧品、および芸術作品から成る群から選択される、項目２０に記載の方法。
【００２３】
図面では、同様の参照文字は、全体的に、異なる図を通して同じ部分を指す。また、図面は、必ずしも一定の縮尺ではなく、むしろ本発明の原理を例示することが、全体的に重視される。以下の記述では、本発明の種々の実施形態が、以下の図面を参照して説明される。
【図面の簡単な説明】
【００２４】
【図１】図１は、本発明の一実施形態による、対象の視覚的表現を生成する際に使用され、その外側パネルが取り外された、システムの側面図を概略的に例示する。
【図２】図２は、完全な状態の外側パネルを備えた、図１に示される例示的システムの側面図を概略的に例示する。
【図３】図３は、本発明の別の実施形態による、対象の視覚的表現を生成する際に使用されるシステムの上面斜視図を概略的に例示する。
【図４】図４は、図３に示される例示的システムの上面図を概略的に例示する。
【図５】図５は、本発明のさらに別の実施形態による、対象の視覚的表現を生成する際に使用されるシステムの側面図を概略的に例示する。
【図６】図６は、図５に示される例示的システムの上面図を概略的に例示する。
【図７】図７は、本発明の一実施形態による、対象の視覚的表現を生成する際に使用されるシステムのブロック図である。
【図８】図８は、本発明の一実施形態による、対象の視覚的表現を生成するための方法のフロー図である。
【図９】図９は、本発明の一実施形態による、ユーザデバイスを概略的に例示する。
【発明を実施するための形態】
【００２５】
（説明）
種々の実施形態では、本発明は、対象の視覚的表現を生成するためのシステムおよび方法を特徴とする。具体的には、複数の静止カメラを始動させて対象の複数の静止画像を取り込み、画像は、その後対象の視覚的表現を含むデジタルファイルを作成する際に使用される。そのデジタルファイルは、次に、ユーザデバイスにダウンロードされ、またはそうでなければユーザデバイスによってアクセス可能であるストレージ媒体に送信され、その後、ユーザデバイスを使用して操作されてもよい。
【００２６】
図１は、本発明の一実施形態による、対象の視覚的表現を生成する際に使用されるシステム１００の側面図を示す。示されるように、システム１００は、対象を少なくとも部分的に囲むための構造１０４を含む。具体的には、図１に示される構造１０４は、ジオデシックドームであり、本明細書に記載される撮像される対象（図示せず）は、ドーム１０４の内側の中に位置してもよい。他のタイプのドーム（ほんの数例を挙げれば、楕円形ドーム、多角形ドーム、セイル型ドーム、および傘型ドームを含む）もまた、当業者によって理解されるように、構造１０４として用いられ得る。さらに、ステージは、撮像される対象を支持するために、ドーム形の構造１０４の内部に位置してもよい。
【００２７】
図１にさらに示されるように、システム１００は、互いに固定された関係で構造１０４または別の支持体のいずれかに装着された複数の静止カメラ１０８をさらに含む。具体的には、システム１００は、それ自体が油圧ジャッキに装着された鋼管のリング１１２を含んでもよい。例示されるように、複数の静止カメラ１０８は、リング１１２に装着されてもよく、カメラ１０８自体は、したがって、リング状に配列されてもよい。しかしながら、より全体的には、カメラ１０８は、任意の方式（例えば、共面）で構造１０４の内側に近接して結合され、任意の円弧状（例えば、半円形）で、または他の（例えば、線形）パターンまたはパターン群で、配列されてもよい。カメラ１０８をそれ自体が油圧ジャッキ上に装着されたリング１１２に装着することにより、リング１１２、したがって、カメラ１０８は、撮像される対象の異なる斜視または立面視を与えるために、上昇、下降、または傾斜してもよい。代替として、または加えて、対象が支持される任意のステージは、高さ、傾き等を調整することができる。
【００２８】
一実施形態では、リング１１２に装着された１００台の静止カメラ１０８が存在する。代替として、より少ないまたはより多くのカメラ１０８を使用してもよい。特定の一実施形態では、各カメラ１０８は、Ｃａｎｏｎ  Ｒｅｂｅｌ  Ｔ２ｉ  ＤＳＬＲのカメラであり、Ｃａｎｏｎの１８〜５５ｍｍズームレンズを用い、それらのそれぞれは、Ｃａｎｏｎ，Ｉｎｃ．（Ｊａｐａｎ，  Ｔｏｋｙｏ）から入手可能である。それぞれのカメラ１０８はまた、Ｓｐａ  ｏｆ  Ｃａｓｓｏｌａ（Ｉｔａｌｙ）のＬｉｎｏ  Ｍａｎｆｒｏｔｔｏ＋Ｃｏ．から入手可能であるＭａｎｆｒｏｔｔｏ  ４１０  Ｊｕｎｉｏｒ  Ｇｅａｒｅｄ  Ｈｅａｄを使用して、リング１１２に装着されてもよい。Ｍａｎｆｒｏｔｔｏ  ４１０  Ｊｕｎｉｏｒ  Ｇｅａｒｅｄ  Ｈｅａｄは、カメラ１０８の精密かつ正確な動きを可能にする。具体的には、各カメラ１０８の照準を共通の領域に（すなわち、撮像される対象に）合わせるために用いられてもよい。当然ながら、当業者によって理解されるように、他のタイプのデジタルカメラ１０８（特注のカメラを含む）、ズームレンズ、およびカメラヘッドが用いられてもよい。
【００２９】
図１では、構造１０４の外側パネルは、システム１００の内側の描写を促進するために示されていない。しかしながら、構造１０４のための外側パネル１１６は、図２で示される。外面的には、ドーム形の構造１０４は、軽量で強度を最大限にするために三角形のパターンの金属パイプから構築されてもよい。これらの三角形の内部には、ドーム形の構造１０４の内部のための背景を作成する特注のパネル１１６が存在する。パネル１１６は、構造１０４の内側へのアクセスを可能にするために、取り外し可能であり、かつ／またはヒンジ結合されてもよい。パネル１１６は、黒色、白色等を含めて任意の色であってもよく、また布、紙、金属、反射性金属化フィルム等から作られてもよい。一実施形態では、システム１００は、世界のどこにでもそこで使用されるために、分解し、トラベルケースに梱包し、世界のどこにでも出荷されてそこで使用できるように、モジュール方式で構築される。
【００３０】
図３は、本発明の別の実施形態による、対象２０２の視覚的表現を生成する際に使用されるシステム２００の斜視図を示す一方、図４は、図３に示される例示的システム２００の上面図を示す。図３と４に示されるように、システム２００は、システム１００と同様に、対象２０２を少なくとも部分的に囲むための構造２０４を含む。具体的には、図３と４に示される構造２０４は、螺旋状の隔壁であり、本明細書に記載の撮像される対象２０２は、螺旋状の隔壁２０４の内側境界内に位置する。さらに示されるように、螺旋状の隔壁２０４は、螺旋状の隔壁２０４の内側境界にアクセスするために使用され得る入口経路２０６を形成する。
【００３１】
対象２０２を撮像するために、複数の静止カメラ２０８（例えば、図１および２を参照して上述されたタイプの）は、対象２０２の視界の視線にある螺旋状の隔壁２０４の一部に沿って配列されてもよい。例えば、カメラ２０８は、螺旋状の隔壁２０４の半円形の部分に沿って配列されてもよく、それらはまた、螺旋状の隔壁２０４のより大きいまたはより少ない円弧状の部分に沿って配列されてもよい。
【００３２】
図３と４に示されるように、調整可能な支持体２１２は、撮像される対象２０２を支持するために用いられてもよい。例えば、撮像される対象２０２は、個人であってもよく、個人は、調整可能な座席２１２に座ってもよい。あるいは、調整可能な支持体２１２は、調整可能なテーブル、調整可能なプラットフォーム、または別の調整可能な支持体であり得る。このような方式では、撮像される対象２０２は、対象２０２の異なる斜視または立面視を与えるために、カメラ２０８の視野内で上昇または下降されてもよい。
【００３３】
一実施形態では、システム２００の構造２０４は、撮像と他のプロセスを通じてユーザを導くために、例えば、インタラクティブなタッチスクリーン２１６等のユーザの入力／出力モジュール２１６（すなわち、第１のユーザデバイス）を含む。例えば、複数の静止画像を取り込み、対象２０２の視覚的表現を作成した後（以下で説明するように）、ユーザは、タッチスクリーン２１６を使用して、視覚的表現に異なる様相を適用し、また視覚的表現を格納するデジタルファイルを第２のユーザデバイスによってアクセス可能なストレージ媒体に（例えば、スマートフォンのメモリのような第２のユーザデバイス自体のメモリに）送信し、そこで操作することができる。例えば、デジタルファイルは、無線で（例えば、インターネットを介して）またはハードワイヤポートを介して（例えば、ＵＳＢ接続を介して）、第２のユーザデバイスにダウンロードされてもよく、第２のユーザデバイス等による後でのアクセスと操作のために、ユーザの電子メールアカウントまたはソーシャルメディアサイトに送信されてもよい。
【００３４】
システム２００は、システム２００をユーザフレンドリにし、かつ訓練されていない消費者によって使用されるように種々の場所に展開するのに適合するために、追加の照明、ユーザ命令インターフェース、カバー、音楽システム等を含んでもよい。
【００３５】
図５は、本発明のさらに別の実施形態による、対象の視覚的表現を生成する際に使用されるシステム３００の側面図を示す一方、図６は、図５に示される例示的システム３００の上面図を示す。図５と６に示されるように、システム３００は、システム１００と２００と同様に、撮像される対象を少なくとも部分的に囲むための構造３０４を含む。具体的には、図５と６に示される構造３０４は、高さ調整可能なスタンド３０６上にそれ自体が装着された鋼管の円弧である。例示的ように、複数の（例えば、１３台または他の台数）の静止カメラ３０８は、円弧３０４に装着されてもよく、カメラ３０８自体は、それによって円弧状のパターンに配列することができる。カメラ３０８は、図１と２を参照して上述されたタイプであってもよく、カメラ１０８がリング１１２に装着された方式と同様な方式で（例えば、各カメラ３０８にＭａｎｆｒｏｔｔｏ  ４１０  Ｊｕｎｉｏｒ  Ｇｅａｒｅｄ  Ｈｅａｄを使用することにより）円弧３０４に装着されてもよい。動作時、高さ調整可能なスタンド３０６は、撮像される対象の異なる斜視を与えるために、構造３０４（したがって、カメラ３０８）を上昇または下降させるために用いられてもよい。
【００３６】
図５と６に示されるように、システム３００はまた、撮像される対象を支持するための調整可能な支持体３１２を特徴としてもよい。例えば、撮像される対象は、個人であってもよく、個人は、調整可能な座席３１２上に座ってもよい。あるいは、調整可能な支持体３１２は、調整可能なテーブル、調整可能なプラットフォーム、または別の調整可能な支持体であり得る。このような方式では、撮像される対象はまた、対象の異なる斜視を与えるために、カメラ３０８の視野内で上昇または下降してもよい。概して、システム３００は、個人の肖像を撮影するために用いられてもよい。
【００３７】
図７は、本発明の例示的施形態による、対象の視覚的表現を生成するためのシステム４００を示す。システム４００は、複数の静止カメラ４０８（例えば、Ｎ台の静止カメラ４０８）、カメラシステム制御装置４０２、複数の静止カメラ４０８を始動させることに関連して使用される複数の始動モジュール４０４（例えば、Ｎ＋１台の始動モジュール４０４）、複数の中間コンピュータ４１２（例えば、Ｎ／１０台の中間コンピュータ４１２）、画像処理コンピュータ４１６、およびストレージ媒体４２０を含む。
【００３８】
カメラシステム制御装置４０２は、例えば、任意のタイプのパーソナルコンピュータ、Ｗｉｎｄｏｗｓ（登録商標）ベースの端末、ネットワークコンピュータ、無線デバイス、情報家電、ＲＩＳＣパワーＰＣ、Ｘデバイス、ワークステーション、ミニコンピュータ、メインフレームコンピュータ、パーソナルデジタルアシスタント、ハンドヘルドデバイス、または本明細書に記載されているような始動モジュール４０４を制御することができる他のコンピューティングデバイスであり得る。特定の一実施形態では、カメラシステム制御装置４０２は、Ｍｉｃｒｏｓｏｆｔ  Ｃｏｒｐｏｒａｔｉｏｎ（Ｗａｓｈｉｎｇｔｏｎ  Ｒｅｄｍｏｎｄ）によって製造されたＷｉｎｄｏｗｓ（登録商標）ＸＰ、Ｗｉｎｄｏｗｓ（登録商標）Ｖｉｓｔａ、またはＷｉｎｄｏｗｓ（登録商標）７のオペレーティングシステム、ならびに制御ヘッドソフトウェアを実行するパーソナルコンピュータである。カメラシステム制御装置４０２は、例えば、視覚的表示デバイス（例えば、コンピュータモニタ）、データ入力デバイス（例えば、キーボード）、永続性および／または揮発性ストレージ（例えば、コンピュータメモリ）、コンピュータプロセッサ、およびマウスを含んでもよい。以下でさらに説明されるように、カメラシステム制御装置４０２は、例えば、各始動モジュール４０４のモードおよび／または遅延を設定するために、カメラ４０８をウェークさせるために、および始動モジュール４０４に命令してカメラ４０８を起動するために、用いられてもよい。
【００３９】
各始動モジュール４０４は、ハードウェアデバイスとして、例えば、マイクロコントローラとして、特定用途向け集積回路（ＡＳＩＣ）として、またはフィールドプログラマブルゲートアレイ（ＦＰＧＡ）として実装されてもよく、それは、以下で説明される機能を提供することができる。各始動モジュール４０４は、例えば、独自のマイクロプロセッサとメモリブロックを含んでもよい。さらに、各始動モジュール４０４は、安定したクロック信号を提供し、それによって時間の正確な経過を維持するために、専用の水晶発振器を含んでもよい。結晶発振器は、以下で説明される始動モジュール４０４のタイミング操作のために重要であり、温度制御型結晶発振器（「ＴＣＸＯ」）またはオーブン制御型結晶発振器（「ＯＣＸＯ」）であり得る。
【００４０】
一実施形態では、始動モジュール０は、「テール」始動モジュールと見なされ、始動モジュールＮは、「ヘッド」始動モジュールと見なされる。例示されるように、始動モジュール４０４は、例えば、Ｃａｔ５ｅパッチケーブルを使用してデイジーチェーンでテールからヘッドまで接続してもよい。４つの通信ラインは、始動モジュール４０４とＣａｔ５ｅパッチケーブルを介して延び得る。具体的には、第１のシリアル通信ラインは、シリアルコマンドデータ信号をテール始動モジュール０からヘッド始動モジュールＮに通信するように設けられてもよく、第２のシリアルコマンド通信ラインは、シリアルコマンドデータ信号をヘッド始動モジュールＮからテール始動モジュール０に通信するように設けられてもよく、第３の通信ラインは、カメラ４０８を始動させるためのハードウェア信号をテール始動モジュール０からヘッド始動モジュールＮに通信するように設けられてもよく、第４の通信ラインは、カメラ４０８を始動させるためのハードウェア信号をヘッド始動モジュールＮからテール始動モジュール０に通信するように設けられてもよい。
【００４１】
一実施形態では、各静止カメラ４０８は、単一の始動モジュール４０４に関連付けられる。関連付けられた始動モジュール４０４は、例えば、２．５ｍｍのステレオフォンプラグケーブルを使用し、そのカメラ４０８のシャッタポートに接続されてもよい。一実施形態では、例示されるように、カメラ４０８が存在するよりももう１つ多い始動モジュール４０４が存在する。例えば、テール始動モジュール０は、カメラ４０８に関連付けられず、その代りに、始動モジュール４０４のデイジーチェーンのための始動入力として機能する。カメラ４０８は、例えば、図１と２を参照して上述されたタイプであってもよく、製造業者の（例えば、Ｃａｎｏｎの）オペレーティングシステムを実行してもよい。あるいは、特注のファームウェアが、カメラ４０８を操作してもよい。
【００４２】
一実施形態では、電力が始動モジュール４０４のデイジーチェーンに適用されると、始動モジュール４０４は、連続的な（例えば、一意的な）ハードウェアアドレスの自己割り当てを自動的に行う。例えば、デイジーチェーン内の最初の始動モジュール４０４（すなわち、テール始動モジュール０）は、ハードウェアアドレス０の自己割り当てを行い、デイジーチェーン内の次の始動モジュール４０４（すなわち、始動モジュール１）は、ハードウェアアドレス１の自己割り当てを行い、デイジーチェーン内の最後の始動モジュール４０４（すなわち、ヘッド始動モジュールＮ）がハードウェアアドレスＮの自己割り当てを行うまで同様である。前述のように、テール始動モジュール０は、始動モジュール４０４のデイジーチェーンのための始動入力として機能し、それは、カメラ４０８をウェークさせるためと、カメラ４０８のシャッタを始動させるための外部信号を、カメラシステム制御装置４０２から受け取る（その後、デイジーチェーン内の次の始動モジュール４０４に渡される）ということを意味する。これらの信号およびシステム４００がそれらを実行するプロセスは、以下でさらに説明される。
【００４３】
起動時（すなわち、電力が始動モジュール４０４のデイジーチェーンに適用されるとき）、システム４００はまた、全ての信号の相互接続の状態を検証し得る。一実施形態では、この検証プロセスは、上述の自動アドレス操作プロセスの一部として行われる。例えば、始動モジュールＭから始動モジュールＭ＋１への各アドレス操作「ホップ」の際、始動モジュールＭは、始動モジュールＭ＋１内の２つのシリアル通信ラインの完全性と、カメラ４０８を始動させるハードウェア信号を通信するために使用される始動モジュールＭ＋１内の２つの通信ラインの完全性の両方を検証してもよい。具体的には、始動モジュールＭは、テスト信号を第１のシリアル通信ライン（これは、シリアルコマンドデータをテールからヘッドに通信するために使用される）の上流方向に送り、始動モジュールＭ＋１がテスト信号を第２のシリアル通信ライン（これは、シリアルコマンドデータをヘッドからテールに通信するために使用される）の下流方向にエコーするのを待機することができる。さらに、始動モジュールＭは、テスト信号を第３の通信ライン（これは、カメラ４０８を始動させるためのハードウェア信号をテールからヘッドに通信するために使用される）の上流方向に送り、始動モジュールＭ＋１がテスト信号を第４の通信ライン（これは、カメラ４０８を始動させるためのハードウェア信号をヘッドからテールに通信するために使用される）の下流方向にエコーするのを待機することができる。これらの２つのテスト信号のいずれかが、始動モジュールＭにエコーバックされない場合、それは、始動モジュールＭ＋１内の信号相互接続問題の指示である。始動モジュールＭは、したがって、シリアルコマンドデータを始動モジュール４０４のデイジーチェーンの下流方向へカメラシステム制御装置４０２に送り返し、始動モジュールＭ＋１内の可能性のある信号相互接続問題をカメラシステム制御装置４０２に通知してもよい。オペレータ（例えば、カメラシステム制御装置４０２とインターフェースをとるユーザ）は、したがって、問題を調査するように通知され得る。問題がいったん解決されると、検証プロセスを再開してもよい（例えば、始動モジュール４０４は、新規の検証プロセスを開始するために再び電源供給され得る）。このように、始動モジュール４０４のデイジーチェーン内のラインの上流方向への任意のさらなる信号相互接続問題は、同様に対処されてもよい。このようにして、始動モジュール４０４のシステム全体の完全性は、成功したアドレッシングサイクルの終了時に保証される。
【００４４】
一実施形態では、各始動モジュール４０４はまた、その関連付けられたカメラ４０８の電圧を感知するための回路を含む。したがって、各始動モジュール４０４は、カメラ４０８が適切に接続されて電源投入されていることを確実にするために、その関連付けられたカメラ４０８への接続の状態を監視してもよい。一実施形態では、中断されるのではなく、カメラシステム制御装置４０２は、関連付けられたカメラ４０８の完全性を確実にするために適正な時点で始動モジュール４０４をポーリングする。
【００４５】
各中間コンピュータ４１２は、例えば、任意のタイプのパーソナルコンピュータ、Ｗｉｎｄｏｗｓ（登録商標）ベースの端末、ネットワークコンピュータ、無線デバイス、情報家電、ＲＩＳＣパワーＰＣ、Ｘデバイス、ワークステーション、ミニコンピュータ、メインフレームコンピュータ、パーソナルデジタルアシスタント、ハンドヘルドデバイス、または本明細書に記載されているようなカメラ４０８と相互作用することができる他のコンピューティングデバイスであり得る。各中間コンピュータ４１２は、例えば、視覚的表示デバイス（例えば、コンピュータモニタ）、データ入力デバイス（例えば、キーボード）、永続性および／または揮発性ストレージ（例えば、コンピュータメモリ）、コンピュータプロセッサ、およびマウスを含んでもよい。特定の一実施形態では、各中間コンピュータ４１２は、Ｍｉｃｒｏｓｏｆｔ  Ｃｏｒｐｏｒａｔｉｏｎ（Ｗａｓｈｉｎｇｔｏｎ  Ｒｅｄｍｏｎｄ）によって製造されたＷｉｎｄｏｗｓ（登録商標）７オペレーティングシステムを実行するラップトップコンピュータである。さらに、各中間コンピュータ４１２は、カメラ４０８から画像をインポートし、またカメラ４０８に設定（例えば、シャッタ速度、絞り値、ＩＳＯ設定等）を適用するために、ソフトウェアプログラムを用いてもよい。第三者のソフトウェア、例えば、Ｂｒｅｅｚｅ  Ｓｙｓｔｅｍｓ  Ｌｉｍｉｔｅｄ（Ｕｎｉｔｅｄ  Ｋｉｎｇｄｏｍ）から入手可能なＢｒｅｅｚｅＳｙｓ  Ｍｕｌｔｉ  Ｃａｍｅｒａソフトウェア等は、この目的のために用いられ得る。
【００４６】
一実施形態では、図７に例示されるように、各中間コンピュータ４１２は、例えば１０本の独立したＵＳＢケーブルを介して、１０台の静止カメラ４０８に接続される。図７に示されるシステム４００の例示的一実施形態では、Ｎ＝１００、すなわち、１００台のカメラ４０８、１０１台の始動モジュール４０４、および１０台の中間コンピュータ４１２（それらのそれぞれは、１０台のカメラ４０８に接続される）が存在することを意味する。当然ながら、当業者によって理解されるように、１０台のカメラ４０８よりも少ないまたは多いものは、それぞれの中間コンピュータ４１２に接続されてもよい。さらに、１００台のカメラ４０８よりも少ないまたは多いもの（したがって、１０１台の始動モジュール４０４よりも少ないまたは多いもの）が、システム４００内に存在してもよい。
【００４７】
一実施形態では、システム４００の各中間コンピュータ４１２は、画像処理コンピュータ４１６と通信する。例えば、各中間コンピュータ４１２は、画像処理コンピュータ４１６にハード配線してもよい。別の実施形態では、各中間コンピュータ４１２は、ネットワークを介して画像処理コンピュータ４１６と通信する。ネットワークは、例えば、会社のイントラネット等のローカルエリアネットワーク（ＬＡＮ）、メトロポリタンエリアネットワーク（ＭＡＮ）、またはインターネット等のワイドエリアネットワーク（ＷＡＮ）であり得る。中間コンピュータ４１６のそれぞれは、限定されるものではないが、標準の電話回線、ＬＡＮまたはＷＡＮリンク（例えば、Ｔ１、Ｔ３、５６ｋｂ、Ｘ．２５）、ブロードバンド接続（例えば、ＩＳＤＮ、Ｆｒａｍｅ  Ｒｅｌａｙ、ＡＴＭ）、または無線接続を含む、種々の接続を介してネットワークに接続されてもよい。接続は、さらに、種々の通信プロトコル（例えば、ＨＴＴＰ、ＴＣＰ／ＩＰ、ＩＰＸ、ＳＰＸ、ＮｅｔＢＩＯＳ、ＮｅｔＢＥＵＩ、ＳＭＢ、イーサネット（登録商標）、ＡＲＣＮＥＴ、ファイバ分散データインタフェース（ＦＤＤＩ）、ＲＳ２３２、ＩＥＥＥ８０２．１１、ＩＥＥＥ８０２．１１ａ、ＩＥＥＥ８０２．１１ｂ、ＩＥＥＥ８０２．１１ｇ、および直接非同期接続）を使用して確立されてもよい。中間コンピュータ４１２は、例えば、静止カメラ４０８から受け取った静止画像を画像処理コンピュータ４１６へそこでのさらなる処理のために送信されてもよい。
【００４８】
画像処理コンピュータ４１６は、例えば、以下でさらに説明されるように、撮像された対象の視覚的表現を作成するために、静止画像（またはそのサブセット）を順番に配列し得る。画像処理コンピュータ４１６は、例えば、任意のタイプのパーソナルコンピュータ、Ｗｉｎｄｏｗｓ（登録商標）ベースの端末、ネットワークコンピュータ、無線デバイス、情報家電、ＲＩＳＣパワーＰＣ、Ｘデバイス、ワークステーション、ミニコンピュータ、メインフレームコンピュータ、パーソナルデジタルアシスタント、ハンドヘルドデバイス、または本明細書で記載のように、対象の視覚的表現を作成するために複数の静止画像を配列することと、ストレージ媒体４２０と通信することの両方が可能である他のコンピューティングデバイスであり得る。画像処理コンピュータ４１６は、例えば、視覚的表示デバイス（例えば、コンピュータモニタ）、データ入力デバイス（例えば、キーボード）、永続性および／または不揮発性ストレージ（例えば、コンピュータメモリ）、コンピュータプロセッサ、およびマウスを含んでもよい。
【００４９】
その部分について、ストレージ媒体４２０は、任意のハードウェアデバイス、ハードウェアインターフェースを備えたソフトウェアモジュールであってもよく、それは、撮像された対象の視覚的表現を含むデジタルファイル等の情報を格納することができる。一実施形態では、ストレージ媒体４２０は、画像処理コンピュータ４１６に対してローカルである（例えば、そこに存在する）。別の実施形態では、ストレージ媒体４２０は、画像処理コンピュータ４１６から遠隔に位置する。例えば、ストレージ媒体４２０は、モバイルコンピューティングデバイス（例えば、パーソナルデジタルアシスタント、タブレットコンピュータ、またはスマートフォン）等のユーザデバイスに存在してもよい。別の実施例として、ストレージ媒体４２０は、画像処理コンピュータ４１６から遠隔に位置し、モバイルコンピューティングデバイス（例えば、パーソナルデジタルアシスタント、タブレットコンピュータ、またはスマートフォン）等のユーザデバイスによってアクセス可能であるが、そこには存在しない。例えば、ストレージ媒体４２０は、ユーザデバイスによってアクセス可能である電子メールサーバに、ユーザデバイスによってアクセス可能であるソーシャルネットワーキングサイトのためのサーバ等に存在し得る。
【００５０】
図７は、システム４００の概略図であることと、それは、本発明の実施形態の説明を容易にするようなものとして示されていることは、当業者によって理解されるであろう。さらに、図７に示されるシステム４００は、図１と２に示されるドーム形のシステム１００で使用するために最も好適であり得るが、システム４００は、それにかかわらず、本発明の趣旨と範囲から逸脱することなく、種々の方法で改変されてもよい。例えば、システム４００を図３と４に示される螺旋状の隔壁のシステム２００または図５と６に示される円弧状のシステム３００で使用するためにより好適にするために、カメラシステム制御装置４０２、中間コンピュータ４１２、および画像処理コンピュータ４１６の機能は、単一のコンピュータプロセッサによって、または単一のコンピューティングデバイスで動作する複数のコンピュータプロセッサによって、実装されてもよい。このように、図７のシステム４００の描写は、非限定的である。
【００５１】
図８を参照すると、例えば図７のシステム４００を使用して対象の視覚的表現を生成するための方法５００の例証的一実施形態では、複数の静止カメラ４０８の照準が、最初に撮像される対象に合わせられる（ステップ５０４で）。次に、ステップ５０８で、複数の静止カメラ４０８は、始動されて対象の複数の静止画像を取り込む。次に、ステップ５１２で、複数の静止画像の少なくともいくつかは、対象の視覚的表現を作成する一部として順番に配列され得る。対象の視覚的表現を含むデジタルファイルは、次に、ステップ５１６で、ストレージ媒体４２０に送信されてもよく、それは、前述のように、モバイルコンピューティングデバイス（例えば、パーソナルデジタルアシスタント、タブレットコンピュータ、またはスマートフォン）等のユーザデバイスによってアクセス可能である。
【００５２】
より詳細には、複数の静止カメラ４０８は、最初に、ステップ５０４で、撮像される対象に焦点が合わせられる。これは、手動で、静止カメラ４０８自体によって自動で、または例えば、中間コンピュータ４１２から受け取る命令に応答して静止カメラ４０８によって自動で、行われてもよい。図１と２に示されるドーム形のシステム１００の場合では、リング１１２および／またはステージ上の対象は、撮像される対象へ適切な斜視を与えるための適正な高さに上昇または下降されてもよく、次にカメラ１０８、４０８は、対象に焦点が適正に合わせられ得る。図３と４に示される螺旋状の隔壁のシステム２００の場合では、ユーザは、撮像される対象へ適切な斜視を与えるための適正な高さに調整可能な支持体２１２を上昇または下降させるために、構造２０４の前述のインタラクティブなタッチスクリーン２１６を用いてもよく、次に、カメラ２０８、４０８は、対象に焦点が適正に合わせられ得る。また、図５と６に示される円弧状のシステム３００の場合では、鋼管の円弧３０４および／または調整可能な支持体３１２は、撮像される対象へ適切な斜視を与えるための適正な高さに上昇または下降されてもよく、次に、カメラ３０８、４０８は、対象に焦点が適正に合わせられ得る。対象は、例えば、個人、衣料品、ファッションアクセサリ、化粧品、または芸術品であってもよい。さらに、対象自体は、静的であってもよく、または移動していてもよい（例えば、個人は、ダンスをしていてもよく、または衣料品は、重力の影響で自由落下するように空中に投げられてもよい）。したがって、カメラ１０８、２０８、３０８、４０８は、対象の動きを明らかにするために写真撮影を通してリフォーカスする必要があり得る。カメラ１０８、２０８、３０８、４０８は、それをそれ自体が自動でおよび／または、例えば、中間コンピュータ４１２から受け取る命令に応答して、行ってもよい。
【００５３】
写真撮影時に、図８の方法５００のステップ５０８で、複数の静止カメラ１０８、２０８、３０８、４０８は、対象の複数の静止画像を取り込むために始動される。この目的を達成するために、カメラシステム制御装置４０２は、カメラ１０８、２０８、３０８、４０８の始動を種々の方法で制御してもよい。一実施形態では、カメラシステム制御装置４０２は、（ｉ）シリアルコマンドデータ信号と（ｉｉ）始動信号の両方をシリアルラインに沿って発行する。その関連付けられたカメラ４０８を始動するプロセスを開始するために、始動信号が第１の始動モジュール４０４によって実行されると、その始動モジュール４０４は、次に、始動信号をさらなるカメラ４０８を始動するためのハードウェア信号に変換してもよい。そのハードウェア信号は、次に、始動モジュール４０４のデイジーチェーンに沿って伝播してもよい。
【００５４】
信号のそれぞれは、例えば、０〜５ボルトのシングルエンドＴＴＬ論理信号であり得る。カメラシステム制御装置４０２から信号が発行されると、信号は、１つの始動モジュール４０４から次のものに連続的に伝播する。具体的には、それぞれの始動モジュール４０４は、増幅器と中継器の両方として機能してもよい。例えば、始動モジュール４０４へ入力される各信号は、シュミット始動入力でバッファされ、その後、多数（例えば、数百）の始動モジュール４０４を通る強固な信号伝播を確実にするために、ラインドライバによって始動モジュール４０４の出力に複製されてもよい。
【００５５】
一実施形態では、カメラシステム制御装置４０２は、所与の信号または信号群が、テール始動モジュール０からヘッド始動モジュールＮへの「上流方向」、またはヘッド始動モジュールＮからテール始動モジュール０への「下流方向」のいずれかにフローする方向を指定する（例えば、始動モジュール４０４の全てへのシリアルコマンドデータ信号の発行を通して）。一実施形態では、伝播方向が「下流方向」に設定されているときでも、信号は、最初に、テール始動モジュール０からヘッド始動モジュールＮに始動モジュール４０４のデイジーチェーンを介して上流方向に伝播する（始動モジュール４０４によって作用されることなく）。ヘッド始動モジュールＮは、次に、信号の伝播を種々の始動モジュール４０４での実行のためにヘッド始動モジュールＮからテール始動モジュール０へ下流向きに開始する。信号の伝播方向を制御することにより、カメラシステム制御装置４０２は、実行される任意の所与の信号のみがフローし、かつ一方向にデイジーチェーン接続された始動モジュール４０４を伝播することを確実にすることができる。さらに、カメラシステム制御装置４０２は、所与の信号が実際にデイジーチェーン内の全ての始動モジュール４０４を介して伝播することを確実にすることができる。
【００５６】
一実施形態では、カメラシステム制御装置４０２は、始動モジュール４０４、したがって、カメラ１０８、２０８、３０８、４０８を、２つのモード、連続的な始動モードまたは瞬時始動モードのいずれかの１つで動作するようにさらに構成する。例えば、連続的な始動モードでは、各始動モジュール４０４は、各カメラの始動間のユーザが選択した遅延の後に連続してその関連付けられたカメラ１０８、２０８、３０８、４０８を始動させる。これらの静止画像は、その後、それらが撮影された順番で配列される場合（図８のステップ５１２を参照して、以下でさらに説明される）、静的対象の周りをまたは動的シーン内を移動する単一のカメラの錯覚を達成し得る。
【００５７】
始動モジュール４０４、したがって、カメラ１０８、２０８、３０８、４０８を連続的な始動モードで動作させるために、カメラシステム制御装置４０２は、例えば、始動モジュール４０４の全てに連続的な始動モードで動作することを命令するシリアルコマンドデータ信号を発行してもよい。さらに、カメラシステム制御装置４０２は、それぞれの始動モジュール４０４の内部タイマに遅延時間を設定するためのシリアルコマンドデータ信号（または複数のシリアルコマンドデータ信号）を発行してもよい。一実施形態では、遅延時間は、０〜６５５３．５ミリ秒（すなわち、６．５５３５秒）の範囲であり、その範囲内で完全に可変である。各始動モジュール４０４に設定される遅延時間は、同じである、または、代わりに、遅延時間は、種々の始動モジュール４０４で異なるように設定されてもよい。
【００５８】
いったん始動モジュール４０４のモードが、連続的に設定されて、各始動モジュール４０４の遅延時間が設定されると、カメラシステム制御装置４０２は、ウェーク信号を発行してもよく、それは、種々の始動モジュール４０４によってそれらの関連付けられたカメラ１０８、２０８、３０８、４０８に伝え得る。ウェーク信号は、カメラ１０８、２０８、３０８、４０８が対象を撮像することに即応できる状態にあることを確実にする。例えば、カメラ１０８、２０８、３０８、４０８のより多くのうちの１つが「スリープ」モードに入っていた場合、ウェーク信号は、カメラ１０８、２０８、３０８、４０８に電源投入し、それの焦点を撮像される対象等に自動で合わせる。
【００５９】
ウェーク信号に続いて、カメラシステム制御装置４０２は、始動信号を発行してもよい。カメラシステム制御装置４０２が、信号の伝播方向を「上流方向」（すなわち、テール始動モジュール０からヘッド始動モジュールＮへ）に設定していたと仮定すると、始動モジュール１（およびデイジーチェーン内にその後に位置する各始動モジュール４０４）が、始動信号をその隣接する下流側の始動モジュール４０４から受け取ると、それは、即座にその関連付けられたカメラ１０８、２０８、３０８、４０８のシャッタを起動させ、対象の静止画像を取り込み、その後、そのプログラムされた遅延時間にわたって待機し、その後始動信号を隣接する上流側の始動モジュール４０４に送り、その関連付けられたカメラ１０８、２０８、３０８、４０８等のシャッタを即座に起動させる。一実施形態では、この連続的な始動モードは、動画フレームレート効果を作成するために用いられてもよい。例えば、各始動モジュール４０４の遅延時間を４１．６ミリ秒に設定することにより、フレームレートは、２４フレーム／秒に等価となり得る。
【００６０】
図８のステップ５０８をさらに参照すると、カメラシステム制御装置４０２はまた、前述のように、始動モジュール４０４、したがって、カメラ１０８、２０８、３０８、４０８を瞬時始動モードで動作してもよい。一実施形態では、このモードで動作するために、カメラシステム制御装置４０２は、最初に、始動モジュール４０４の全てに瞬時始動モードで動作することを命令するシリアルコマンドデータ信号を発行する。さらに、カメラシステム制御装置４０２は、各始動モジュール４０４の内部タイマに等しい遅延時間を設定するためのシリアルコマンドデータ信号を発行し得る。改めて、一実施形態では、遅延時間は、０〜６５５３．５ミリ秒（すなわち、６．５５３５秒）の間にある。
【００６１】
いったん始動モジュール４０４のモードが瞬時に設定され、それぞれの始動モジュール４０４の遅延時間が等しく設定されると、カメラシステム制御装置４０２は、ウェーク信号を発行してもよく、それは、上述のように、カメラ１０８、２０８、３０８、４０８が対象を撮像することに即応できる状態にあることを確実にする。その後、カメラシステム制御装置４０２は、始動信号を発行してもよい。改めて、カメラシステム制御装置４０２が、信号の伝播方向を「上流方向」（すなわち、テール始動モジュール０からヘッド始動モジュールＮへ）に設定していたと仮定すると、始動モジュール１（およびデイジーチェーン内にその後に位置する各始動モジュール４０４）は、その隣接する下流側の始動モジュール４０４から始動信号を受け取ると、それは、その遅延時間を開始し、始動信号をその隣接する上流側の始動モジュール４０４に即座に送る。各始動モジュール４０４の遅延時間が経過すると、各始動モジュール４０４は、その関連付けられたカメラ１０８、２０８、３０８、４０８のシャッタを起動させ、対象の静止画像を取り込む。この動作モードでは、始動信号は、実質的に瞬時に始動モジュール４０４の全てに伝播し、それらの遅延タイマを実質的に同じ瞬間に開始する。したがって、各静止カメラ１０８、２０８、３０８、４０８は、対象を実質的に同じ瞬間に撮像する。この文脈の中で、「実質的」の言葉は、デイジーチェーン内で１つの始動モジュール４０４から次の始動モジュール４０４への非常にわずかな（例えば、５０ナノ秒）伝播遅延が存在し得るという認識において用いられる。
【００６２】
代替として、別の実施形態では、カメラシステム制御装置４０２が、始動モジュール４０４の全てに瞬時始動モードで動作することを命令するシリアルコマンドデータ信号を発行した後に、カメラシステム制御装置４０２は、各始動モジュール４０４の内部タイマに異なる遅延時間を設定する。瞬時始動モードでは、始動モジュール４０４は、その隣接する下流側の始動モジュール４０４から始動信号を受け取ると、その遅延タイマを開始し、始動信号をその隣接する上流側の始動モジュール４０４に即座に送るため、各始動モジュール４０４の内部タイマの異なる遅延時間は、カメラ１０８、２０８、３０８、４０８に対象を順序不同で撮像させてもよい。例えば、対象は、最初に、カメラ１０によって（その遅延タイマが最初に経過した場合）、続いて、カメラ３によって、続いて、カメラ９３によって、続いて、カメラ２１等によって、撮像され得る。各始動モジュール４０４の内部タイマの遅延時間を変えることにより、カメラ１０８、２０８、３０８、４０８に任意の特定の順序でまたは任意の無作為の順序で対象を撮像させてもよい。
【００６３】
別の実施形態では、カメラシステム制御装置４０２は、連続的な始動モードと瞬時始動モードを一緒にしてより複雑な動作に混合し、整合させる。例えば、カメラシステム制御装置４０２は、最初に、最初の２５台のカメラ１０８、２０８、３０８、４０８に対象を連続的に撮像させ、その後、次の５０台のカメラ１０８、２０８、３０８、４０８に対象を瞬時で撮像させ、その後、次の２５台のカメラ１０８、２０８、３０８、４０８に対象を連続的に撮像させることができる。
【００６４】
さらに、カメラシステム制御装置４０２は、始動信号の「波」（すなわち、立て続けの複数の始動信号）を始動モジュール４０４に発行してもよい。例えば、カメラシステム制御装置４０２は、カメラ１０８、２０８、３０８、４０８に５０ミリ秒毎に同じ時点で対象をそれぞれ撮像させる信号を繰り返して発行してもよい。別の実施例として、カメラシステム制御装置４０２は、カメラ１０８、２０８、３０８、４０８に最初に対象をテールからヘッドに連続的に撮像させ、その後、対象をヘッドからテールに連続的に撮像させ、その後、対象をテールからヘッドに連続的に撮像させ、その後、対象をヘッドからテールに連続的に撮像させ、以下同様に行わせる信号を繰り返して発行してもよい。さらに別の実施例として、カメラシステム制御装置４０２は、奇数の番号が付けられたカメラ１０８、２０８、３０８、４０８に対象を連続的に撮像させ、その後、偶数の番号が付けられたカメラ１０８、２０８、３０８、４０８に対象を実質的に同時に撮像させ、次に、奇数の番号が付けられたカメラ１０８、２０８、３０８、４０８に再び対象を連続的に撮像させてもよい。したがって、以上のように、システム４００の使用は、具体的にそれぞれのカメラ１０８、２０８、３０８、４０８のための別々の始動モジュール４０４の使用は、カメラ１０８、２０８、３０８、４０８を実質的に任意の順序で、かつ実質的に任意の時点で始動させることを有利に可能にし、制御と創造的出力において並外れた汎用性を提供する。
【００６５】
さらに別の実施形態では、始動モジュール４０４のデイジーチェーンは、カメラ１０８、２０８、３０８、４０８ではなく、写真撮影の小道具とインターフェースをとる特定の数の始動モジュール４０４を含む。例えば、所与の数（例えば、５つ）の始動モジュール４０４は、各カメラのフラッシュから独立したストロボ光源とインターフェースをとり、それを作動させることができる。上述の静止画像撮影と協調してストロボ光源を作動させるために始動モジュール４０４を用いることにより、例えば、取り込まれた画像にゴースト効果を作成してもよい。例えば、各露出中に複数のストロボ事象を起動させ、または連続的な一連の露出内で複数のストロボを起動させてもよい。始動モジュール４０４はまた、追加の創造的な効果のために上述の種々のシステムにおいて、対象（例えば、衣服、ファッションアクセサリ等）または他のアイテム（例えば、紙吹雪、水等）を落下、解放、または移動させるために、１つ以上の電磁ソレノイド、流体弁、または他の小道具を作動させてもよい。ストロボと他の小道具との効果は、例えば、カメラ１０８、２０８、３０８、４０８と同期してタイミング制御され、始動され得る。別の実施形態では、中間コンピュータ４１２は、取り込まれる種々の静止写真画像にぼかし効果を作成するために、カメラ１０８、２０８、３０８、４０８の露出時間を調整するために用いられてもよい。
【００６６】
図８に示される方法５００のステップ５１２をここで参照すると、対象の複数の静止画像がいったん取り込まれると、中間コンピュータ４１２は、静止画像を画像処理コンピュータ４１６に送信し、それは、複数の静止画像の少なくともいくつかを対象の視覚的表現の作成の一部として順番に配列する。例えば、一実施形態では、カメラ１０８、２０８、３０８、４０８は、連続的な順序（例えば、カメラ１は、カメラの円弧状のパターンのテールにあり、カメラＮは、カメラの円弧状のパターンのヘッドにある）を含み、画像処理コンピュータ４１６は、カメラ１０８、２０８、３０８、４０８によって取り込まれた画像をその連続的な順番で配列するように動作する。例えば、カメラ１０８、２０８、３０８、４０８が、対象を中心として半円形のパターンで配列され、カメラ１０８、２０８、３０８、４０８が、全て対象を同じ時点で撮像させられる場合、取り込まれた画像をその順番で配列し、次に画像をその順番で立て続けに提示することは、静的対象が回転している、および／または「凍結」された動的対象を中心にする回転方式でカメラを移動させる錯覚を与える。別の実施例として、カメラ１０８、２０８、３０８、４０８が、対象を中心として半円形のパターンで配列され、カメラ１０８、２０８、３０８、４０８が、対象を順番に連続的に撮像させられる場合、取り込まれた画像をカメラ１０８、２０８、３０８、４０８のその連続的な順序で配列することは、静的または動的対象を中心にして回転するカメラの移動の錯覚を与える。当業者によって理解されるように、複数の静止画像は、特定の用途に適合するように任意の所望の順番で配列されてもよい。
【００６７】
一実施形態では、複数の静止画像が所望の順番で配列された後、画像処理コンピュータ４１６は、次に静止画像のコレクションを処理し、静止画像のコレクションに取り込まれた対象またはシーンの三次元の視覚的表現またはモデルのポイントクラウド、ポリゴンメッシュ、または別の形態を作成する。ドーム形のシステム１００、螺旋状の隔壁のシステム２００、および／または円弧状のシステム３００からのマーカーまたは他の事前計算された情報は、この処理に情報を与えるために使用されることができる（すなわち、３次元の視覚的表現またはモデル内に深さを作成するために２次元の画像から特徴を抽出する際に）。第三者のソフトウェア、例えば、Ｕｒｂａｎ  Ｒｏｂｏｔｉｃｓ（Ｏｒｅｇｏｎ  Ｐｏｒｔｌａｎｄ）から入手可能なタイプのソフトウェア等は、静止画像のコレクションからの２次元像を３次元の視覚的表現またはモデルに変換する目的のために用いられてもよい。
【００６８】
静止画像に取り込まれた対象が個人である場合、画像処理コンピュータ４１６は、生成された３次元の視覚的表現またはモデルを使用し、個人の私的アバターを作成してもよい。画像処理コンピュータ４１６は、例えば、顔の静止画のコレクションと体の静止画のコレクションを組み合わせ、個人の複合アバターを作成してもよい。さらに、取り込まれた静止画像は、アバターをテクスチャ操作するために使用され得る。以下でさらに説明されるように、エンドユーザは、次にタブレットコンピュータ等のユーザデバイス、または別のデバイスのウェブインターフェースを用い、それらのテクスチャを改変してもよい。例えば、アバターを生成する際に用いられた静止画像内に存在しない全く新しい衣料または衣服（すなわち、仮想的な衣類）は、仮想的な衣装合わせでエンドユーザによって事後に追加されてもよい。別の実施例として、仮想的な化粧品は、アバターに適用されてもよい。
【００６９】
ステップ５１２で画像処理コンピュータ４１６によって作成された対象の視覚的表現は、対象の順序付けられた一連の２次元の画像、対象の３次元の視覚的表現またはモデル、および／またはパーソナライズされたアバターを含んでもよく、例えば、デジタルファイルに格納されてもよい。ステップ５１６では、画像処理コンピュータ４１６は、対象の視覚的表現を含むデジタルファイルをストレージ媒体４２０に送信する。ストレージ媒体４２０は、ユーザデバイスによってアクセス可能である。特定の一実施形態では、図３と４を参照すると、ユーザデバイスは、構造２０４のインタラクティブなタッチスクリーン２１６である。この例では、ストレージ媒体４２０は、インタラクティブなタッチスクリーン２１６との相互作用を介してアクセス可能である構造２０４自体に存在するコンピュータメモリであり得る。別の実施形態では、ユーザデバイスは、パーソナルデジタルアシスタント、タブレットコンピュータ、またはスマートフォン等のモバイルコンピューティングデバイスである。その例では、ストレージ媒体４２０は、モバイルコンピューティングデバイス自体に存在するコンピュータメモリであり得る、またはそれは、モバイルコンピューティングデバイスによってアクセス可能である電子メールサーバに存在するコンピュータメモリ、またはモバイルコンピューティングデバイスによってアクセス可能であるソーシャルネットワーキングサイトのためのサーバに存在するコンピュータメモリ等の別の遠隔マシンに存在するコンピュータメモリであり得る。したがって、対象の視覚的表現を含むデジタルファイルは、画像処理コンピュータ４１６によって、ネットワーク（インターネット、または本明細書に記載の任意の他のネットワーク等）を介して、ストレージ媒体４２０に送信されてもよい。
【００７０】
図９は、本発明に従うユーザデバイス６００の一実施形態を示す。示された特定の実施形態では、ユーザデバイス６００は、入力ボタン６０４、６０８と表示スクリーン６１２を有するモバイルコンピューティングデバイスである。ユーザデバイス６００はまた、例えば、永続性および／または揮発性ストレージ（例えば、コンピュータメモリ）とコンピュータプロセッサを含んでもよい。ユーザデバイス６００は、ストレージ媒体４２０にアクセスし、そこから対象の視覚的表現を含むデジタルファイルを抽出するように動作可能である。さらに、ユーザデバイス６００は、必要に応じて、対象の視覚的表現が表示されることを可能にするアプリケーションをダウンロードするように動作可能である。そのようなアプリケーションは、例えば、Ａｐｐｌｅ，Ｉｎｃ．（Ｃａｌｉｆｏｒｎｉａ  Ｃｕｐｅｒｔｉｎｏ）によって提供されるＡｐｐｌｅ  Ａｐｐ  Ｓｔｏｒｅ等のオンラインアプリケーションストアによって利用可能にしてもよい。対象の視覚的表現は、その後ユーザデバイス６００の表示スクリーン６１２に表示されてもよい。
【００７１】
対象の視覚的表現は、対象の複数のビューを提示するようにユーザによって操作可能である。一実施形態では、表示スクリーン６１２は、タッチスクリーンであり、対象の視覚的表現は、タッチ入力を介してユーザによって操作可能である。特定の一実施形態では、対象の視覚的表現は、方法５００のステップ５１２で画像処理コンピュータ４１６によって配列された順番で静止画像の配列を提示し、またその配列された順番の逆で静止画像の配列を提示するようにユーザによって操作可能である。具体的な実施例として、撮像された対象が、個人であり、かつ個人が、撮像されるとき、個人を全てが同時に撮像するカメラ１０８、２０８、３０８、４０８の半円形のパターンに対面した場合（例えば、図３と４に示されるように）を考える。ステップ５１２で、個人のそれらの静止画像は、それらの画像を撮影したそれぞれのカメラ１０８、２０８、３０８、４０８が、半円形のパターンの周囲に沿って配列されたのと同じ順番で配列されたことをさらに仮定する。このような場合では、指を表示スクリーン６１２上で一方向にドラッグすることにより、視覚的表現の静止画像を、個人の顔が時計方向に回転して現れるように、立て続けに提示させてもよい。次に、指を表示スクリーン６１２上で反対方向にドラッグすることにより、視覚的表現の静止画像の提示を、個人の顔が反時計方向に回転して現れるように、逆の順番にすることができる。そのような個人の回転可能な視覚的表現は、例えば、ソーシャルネットワーキングサイトおよび同等物で個人の私的アバターとして機能し得る。
【００７２】
一実施形態では、個人の視覚的表現内の少なくとも１つの特徴は、カラーパレットを介してユーザによって操作可能である。例えば、表示スクリーン６１２は、口紅の特定のブランド（例えば、Ｌ’Ｏｒｅａｌ  Ｐａｒｉｓ）の口紅の色のカラーパレットを片側に表示してもよい。このような場合、個人は、口紅のいくつかの色を彼女の視覚的表現の唇に適用することにより、自己「美容テスト」を行ってもよい。さらに、個人は、視覚的表現を時計方向または反時計方向に回転させることにより、いくつかの角度からその視覚的表現（すなわち、美容テスト）を見得る。異なる照明効果（例えば、室内、日光、曇り、夕方等）は、異なる状況における視覚的表現を示すために追加することができる。これは、例えば、口紅の小売業者にとって、および化粧品店と小売店にとって強力なツールとなり得る。
【００７３】
別の実施例として、個人の視覚的表現内の少なくとも１つの衣料品（例えば、ブラウス）またはファッションアクセサリ（例えば、時計）は、変更可能である。改めて、ユーザデバイス６００は、特定の小売業者から購入可能である種々の衣料品または種々のファッションアクセサリを提示してもよい。ユーザが特定の衣料品またはファッションアクセサリを選択して「試着」するとき、その衣料品またはファッションアクセサリは、個人の視覚的表現の適切な部分に重ねてもよい。改めて、この特徴は、個人のための重要な（かつ時間節約できる）購入ツールとして機能してもよく、衣類とファッションアクセサリの小売業者のための強力なツールとなり得る。
【００７４】
前述の「美容テスト」を行うために、および仮想の衣装合わせで種々の衣料品またはファッションアクセサリを「試着」するために個人のパーソナライズされたアバターを用いることに加えて、個人のパーソナライズされたアバターはまた、例えば、映画、ビデオゲーム、または他のデジタル媒体で使用されてもよい。複数のライセンスオプションはまた、生成された肖像のために利用可能であり得る。例えば、アバターの集中処理から収集された情報は、将来の衣類のフィット感を向上させるために、または現在および潜在的な顧客の他の生体分析を提供するために、衣料品製造業者にライセンス供与してもよい。さらに、パーソナライズされたアバターはまた、３次元プリンティング／ラピッドプロトタイピング技術を使用してプリンティングに使用されてもよい。静止画像、３次元のモデル、および／またはアバターはまた、立体画像を生成するために使用されてもよい。
【００７５】
上記の用途に加えて、本発明の実施形態は、多くの他の商業用途とソーシャル設定に使用を見出す。例えば、図３と４に示された螺旋状の隔壁のシステム２００は、ショッピングモールで（したがって、現在のフォトブースに置き換わる）、結婚式で、コンサートで、および多くの他の公的および私的イベントで、画像を取り込み、上述の視覚的表現を作成するために、個人によって使用されることができる。さらに、さらなる実施形態では、音声（例えば、音楽）は、対象の視覚的表現を格納するデジタルファイルに追加することができる。例えば、ロックコンサートで作成された個人の視覚的表現を格納するデジタルファイルは、ロックコンサートで演奏したバンドからの特定の信号を格納することができ、その音楽は、彼がデジタルファイルをロードし、彼の視覚的表現を表示スクリーン６１２に表示すると、個人に対して再生させることができる。このような方式では、本発明の実施形態は、演奏の再生だけでなく、ユーザによって操作可能である強力で永続する記憶を作成するために使用することができる。
【００７６】
博物館と美術館はまた、アーカイブ彫刻、絵画、および他の芸術作品に対して上述の本発明の実施形態を使用されてもよい。さらにまた、オークションハウスは、彼らがインターネットを介してオークションを意図する３次元のアイテムの視覚的表現を作成するために上述の本発明の実施形態を使用することができる。同様に、上述の技術は、広告キャンペーンで使用される任意の対象（例えば、衣服、ファッションアクセサリ、化粧製品等）の、例えば、それが重力の影響下で自由落下するような、視覚的表現を作成するために使用することができる。
【００７７】
別の実施例として、上述の本発明の実施形態は、アスリートの異なる身体の動き（例えば、フットボールのクォータバックまたは野球のピッチャーの投球モーション、野球のバッターまたはゴルファーのスウィングモーション、アスリートのジャンプモーション等）を研究するためにスポーツで使用することができる。例えば、運動中のアスリートの身体の３次元のマッピングを、作成し得る。
【００７８】
上述の本発明の実施形態はまた、医療分野に使用を見出す。例えば、個人の身体の３次元の画像は、個人の身体内の変化を特定するために、種々の時点で作成され、経時的に観測／追跡され得る。１つの例示的用途は、肥満に取り組んでいる個人の身体の変化を追跡することである。別の例示的用途は、形成外科医が患者の３次元のモデルを作成し、彼らの経時的進行状況を追跡することである。さらに別の例示的用途は、紫外線のみを取り込み、次に上述の本発明の実施形態を用いて紫外線スペクトルで個人の顔を撮像するために、カメラ１０８、２０８、３０８、４０８とそれらの画像センサを構成することを含む。そのような用途は、例えば、紫外線スペクトルのみで見ることができる個人のそばかすを研究することに使用を見出し得る。
【００７９】
本発明の特定の実施形態を記載したが、本明細書に開示された概念を組み入れた他の実施形態は、本発明の趣旨と範囲から逸脱することなく、使用され得ることは、当業者には明らかであろう。したがって、記載された実施形態は、全ての点において単に例示であって制限的なものではないと考慮されるべきである。
【図１】
0006586082.tif 000002
【図２】
0006586082.tif 000003
【図３】
0006586082.tif 000004
【図４】
0006586082.tif 000005
【図５】
0006586082.tif 000006
【図６】
0006586082.tif 000007
【図７】
0006586082.tif 000008
【図８】
0006586082.tif 000009
【図９】
0006586082.tif 000010